(57)【要約】      （修正有）【課題】愛玩動物の保持安定性や安全性を損ねることなく、運搬時における運搬者の負担軽減に資する愛玩動物運搬用バッグであり、より具体的には、運搬時における運搬者の体感重量を低減し、かつ、歩行の妨げにならない愛玩動物運搬用バッグを提供する。【解決手段】愛玩動物運搬用バッグ１は、バッグ本体と、蓋部４と、帯体６と、を有する。バッグ本体と蓋部４とは、ファスナー８で開閉自在に連結されている。バッグ本体と蓋部４との連結は、ファスナー８以外にも、例えば、ボタン及びホック等を用いることができる。蓋部４を大きく開放することで、バッグ本体への愛玩動物の出し入れを容易にすることができる。帯体６は送りカン等の、長さを調節可能な機構を有することが好ましい。愛玩動物運搬用バッグ１を手に持つ場合は帯体６を短くし、肩に掛ける場合は帯体６を長くすることで好適に愛玩動物運搬用バッグ１を持ち運ぶことができる。【選択図】図３
0003189381.tif 000002
【実用新案登録請求の範囲】
【請求項１】
底部と、
前記底部の外縁に沿って略垂直方向に形成されている側面部と、
前記底部の上面に配置された、外縁に湾曲状凹部を有する底板と、を有すること、
を特徴とする愛玩動物運搬用バッグ。
【請求項２】
前記底部が前記底板と略相似形状であること、
を特徴とする愛玩動物運搬用バッグ。
【請求項３】
前記湾曲部の曲率半径が１００〜５００ｍｍであること、
を特徴とする請求項１又は２に記載の愛玩動物運搬用バッグ。
【考案の詳細な説明】
【技術分野】
【０００１】
本考案は、愛玩動物運搬用バッグに関する。
【背景技術】
【０００２】
従来より、犬や猫等の愛玩動物を安全及び快適に、周囲に迷惑をかけないように運搬する目的で、愛玩動物運搬用バッグが用いられている。
【０００３】
例えば、特許文献１（特開平１１−１７８６２３号公報）においては、一枚の布地を半分に折り畳んだ折り線に対して対象の位置に、手足孔を四個あけ、かつ、布地の端部に握り孔を設けた愛玩動物運搬用バッグが提案されている。
【０００４】
上記特許文献１に記載の愛玩動物運搬用バッグは、複雑な裁断及び縫製を必要としないため、安価に製造することができ、また、四個の手足孔に愛玩動物の手足を差し込んで保持できるので、安定した保持を実現することができるというものである。
【０００５】
また、特許文献２（特開２００９−１８９３１９号公報）においては、バッグ本体の壁にメッシュ付き窓を設けると共に、当該窓よりも大きな蓋体を別体として設け、バッグ本体と蓋体には、蓋体が窓を覆う位置で吸着するように磁石を設け、バッグ本体の窓の近傍には支持部材を設け、蓋体には支持部材に着脱可能な取付部材を設けた愛玩動物運搬用バッグが提案されている。
【０００６】
上記特許文献２に記載の愛玩動物運搬用バッグは、バッグ本体と蓋体とが別体に構成されているので、愛玩動物運搬用バッグを、一つのバッグ本体と、色、模様等のデザインが異なる複数の蓋体とから構成することができ、愛玩動物運搬用バッグのファッション性を高める効果があるとしている。例えば、飼い主等の愛玩動物運搬者は、自分の衣装に合った蓋体を、複数の蓋体の中から選んで、バッグ本体と共に持ち歩いて使用し、ペットと一緒におしゃれを楽しむことができるとしている。
【先行技術文献】
【特許文献】
【０００７】
【特許文献１】特開平１１−１７８６２３号公報
【特許文献２】特開２００９−１８９３１９号公報
【考案の概要】
【考案が解決しようとする課題】
【０００８】
しかしながら、上記特許文献１及び特許文献２の愛玩動物運搬用バッグは、主として愛玩動物の保持安定性や意匠的観点から設計されており、運搬時における運搬者の負担軽減については殆ど考慮されていない。
【０００９】
そこで、本考案の目的は、愛玩動物の保持安定性や安全性を損ねることなく、運搬時における運搬者の負担軽減に資する愛玩動物運搬用バッグを提供することにあり、より具体的には、運搬時における運搬者の体感重量を低減し、かつ、歩行の妨げにならない愛玩動物運搬用バッグを提供することにある。
【課題を解決するための手段】
【００１０】
上記課題を解決すべく、本考案は、
底部と、
前記底部の外縁に沿って略垂直方向に形成されている側面部と、
前記底部の上面に配置された、外縁に湾曲状凹部を有する底板と、を有すること、
を特徴とする愛玩動物運搬用バッグを提供する。
【００１１】
上記本考案の愛玩動物運搬用バッグにおいては、運搬者が愛玩動物運搬用バッグを保持する際、底板の湾曲状凹部に体幹部又は脚部をフィットさせることができる。その結果、愛玩動物運搬用バッグを略鉛直下向きに保持することができ、運搬者の体感重量を効果的に軽減することができる。
【００１２】
上記本考案の愛玩動物用バッグにおいては、底部が底板と略相似形状であること、が好ましい。運搬者が愛玩動物運搬用バッグを保持する際、底部と底板の形状が異なる場合と比較して、より効果的に底板の湾曲状凹部にバッグ本体の外側から体幹部又は脚部をフィットさせることができる。その結果、愛玩動物運搬用バッグを略鉛直下向きに保持することができ、運搬者の体感重量を効果的に軽減することができる。
【００１３】
上記本考案の愛玩動物運搬用バッグでは、底部及び底板の外縁における湾曲状凹部の曲率半径が１００〜５００ｍｍであること、が好ましい。湾曲状凹部の曲率を一般的な運搬者の体幹部及び脚部の曲率に合わせて設計することで、違和感なく体幹部又は脚部を当該湾曲状凹部にフィットさせることができ、より確実に運搬者の負担軽減を図ることができる。
【考案の効果】
【００１４】
愛玩動物の保持安定性や安全性を損ねることなく、運搬時における運搬者の負担軽減に資する愛玩動物運搬用バッグを提供することができる。より具体的には、運搬時における運搬者の体感重量を低減し、かつ、歩行の妨げにならない愛玩動物運搬用バッグを提供することができる。
【図面の簡単な説明】
【００１５】
【図１】本考案の愛玩動物運搬用バッグの第１実施形態の正面図である。
【図２】本考案の愛玩動物運搬用バッグの第１実施形態の背面図である。
【図３】本考案の愛玩動物運搬用バッグの第１実施形態の平面図である。
【図４】本考案の愛玩動物運搬用バッグの第１実施形態の底面図である。
【図５】本考案の愛玩動物運搬用バッグの第１実施形態の側面図である。
【図６】本考案の愛玩動物運搬用バッグの第２実施形態に用いる底板の正面図である。
【図７】本考案の愛玩動物運搬用バッグの第２実施形態に用いる底板の平面図である。
【図８】本考案の愛玩動物運搬用バッグの第２実施形態に用いる底板の側面図である。
【図９】本考案の愛玩動物運搬用バッグの第２実施形態の正面図である。
【図１０】本考案の愛玩動物運搬用バッグの第２実施形態の底面図である。
【図１１】本考案の愛玩動物運搬用バッグの第２実施形態に用いる底板の使用状態を示す正面図である。
【考案を実施するための形態】
【００１６】
以下において、本考案の愛玩動物運搬用バッグの代表的な実施形態について、図面を参照しつつ詳細に説明するが、本考案はこれらのみに限定されるものではない。また、以下の説明では、同一又は相当部分には同一符号を付し、重複する説明は省略することもある。図面は、本考案を概念的に説明するためのものであるから、理解容易のために、必要に応じて寸法、比又は数を誇張又は簡略化して表している場合もある。
【００１７】
なお、本考案の愛玩動物運搬用バッグを使用させる愛玩動物は、家庭内等で飼育される愛玩動物であればなんでもよく、例えば、ネコ、イヌ、フェレット及びモルモット等が挙げられる。
【００１８】
≪第１実施形態≫
図１〜図５は、本考案の愛玩動物運搬用バッグの第１実施形態を示している。図１、図２、図３、図４及び図５は、それぞれ第１実施形態の愛玩動物運搬用バッグ１の正面図、背面図、平面図、底面図及び側面図である。
【００１９】
図１及び図２に示すように、愛玩動物運搬用バッグ１は、バッグ本体２と、蓋部４と、帯体６と、を有する。バッグ本体２と蓋部４とは、ファスナー８で開閉自在に連結されている。バッグ本体２と蓋部４との連結は、ファスナー８以外にも、例えば、ボタン及びホック等を用いることができる。蓋部４を大きく開放することで、バッグ本体２への愛玩動物の出し入れを容易にすることができる。
【００２０】
帯体６は送りカン等の、長さを調節可能な機構を有することが好ましい。愛玩動物運搬用バッグ１を手に持つ場合は帯体６を短くし、肩に掛ける場合は帯体６を長くすることで好適に愛玩動物運搬用バッグ１を持ち運ぶことができる。
【００２１】
図３及び図４に示すように、愛玩動物運搬用バッグ１は、バッグ本体底部１０の外縁が湾曲状凹部を有し、バッグ本体側面部１２がバッグ本体底部１０の外縁に沿って形成されている。つまり、バッグ本体側面部１２は湾曲状凹部を有しており、愛玩動物運搬用バッグ１の使用者は当該湾曲状凹部に体幹部又は脚部をフィットさせることができる。その結果、上述のとおり、愛玩動物運搬用バッグを略鉛直下向きに保持することができ、運搬者の体感重量を効果的に軽減することができる。
【００２２】
上記のとおり、バッグ本体底部１０の湾曲状凹部の曲率半径は１００〜５００ｍｍであることが好ましい。バッグ本体底部１０の湾曲状凹部の曲率半径を１００〜５００ｍｍとすることで、体幹部又は脚部を当該湾曲状凹部に好適にフィットさせることができる。
【００２３】
愛玩動物運搬用バッグ１に用いる底板は、バッグ本体底部１０と略相似形状とすることが好ましい。愛玩動物運搬用バッグ１に用いる底板とバッグ本体底部１０とを略相似形状とすることで、愛玩動物運搬用バッグ１の使用者は湾曲状凹部に体幹部又は脚部をより確実にフィットさせることができる。
【００２４】
バッグ本体２（バッグ本体底部１０及びバッグ本体側面部１２）及び蓋部４の素材は特に限定されず、従来公知の種々の素材を用いることができるが、ある程度の柔軟性を有し、耐久性に優れた素材を用いることが好ましい。バッグ本体２（バッグ本体底部１０及びバッグ本体側面部１２）及び蓋部４の素材としては、例えば、クロロプレンゴムの生地にポリエステルの裏地を設けたもの等を用いることができる。
【００２５】
愛玩動物の吸気を確保するため、愛玩動物運搬用バッグ１は通気性を担保する必要があり、愛玩動物運搬用バッグ１には通気口及び／又はメッシュ部を設けることが好ましい。
【００２６】
≪第２実施形態≫
図６〜図１１は、本考案の愛玩動物運搬用バッグの第２実施形態を示している。図６、図７及び図８は、それぞれ第２実施形態の愛玩動物運搬用バッグ２０に用いるバッグ用底板２２の正面図、平面図及び側面図である。また、図９及び図１０は、それぞれ第２実施形態の愛玩動物運搬用バッグ２０の正面図及び底面図である。また、図１１は、第２実施形態における愛玩動物運搬用バッグ２０に用いるバッグ用底板２２の使用状態を示す正面図である。
【００２７】
図６に示すように、バッグ用底板２２は外縁が湾曲状凹部を有している。バッグ用底板２２とバッグ本体底部の形状が異なる場合、バッグ本体２４は柔軟性を有する素材で構成されていることが好ましい。バッグ本体２４が柔軟性を有することで、愛玩動物運搬用バッグ２０の使用者は、バッグ本体２４の外側からバッグ用底板２２の湾曲状凹部に体幹部又は脚部をフィットさせることができる。その結果、上述のとおり、愛玩動物運搬用バッグ２０を略鉛直下向きに保持することができ、運搬者の体感重量を効果的に軽減することができる。
【００２８】
上記のとおり、バッグ用底板２２の湾曲状凹部の曲率半径は１００〜５００ｍｍであることが好ましい。バッグ用底板２２の湾曲状凹部の曲率半径を１００〜５００ｍｍとすることで、体幹部又は脚部を当該湾曲状凹部に好適にフィットさせることができる。
【００２９】
バッグ用底板２２の素材は特に限定されず、従来公知の種々の素材を用いることができるが、軽量、耐久性、及び体幹部又は脚部を当接させても容易に変形しない程度の強度を有する素材を用いることが好ましい。バッグ用底板２２としては、例えば、各種プラスチック製の板材を用いることができる。
【００３０】
バッグ用底板２２は、バッグ本体２４の底部に配置するだけでも愛玩動物運搬用バッグ２０を運搬する際の体感重量を効果的に軽減することができるが、位置ずれ等を防止するため、図１１に示すように、バッグ用底板２２にゴム製バンド２６を設けてもよい。このゴム製バンド２６があると、バッグ本体２４の底部においてバッグ用底板２２が滑らない。なお、バッグ本体２４の底部にゴム製バンドを設けて、バッグ本体２４にバッグ用底板２２を連結してもよい。
【００３１】
以上、詳説したところから明らかなように、本考案の第１実施形態の愛玩動物運搬用バッグ１及び第２実施形態の愛玩動物運搬用バッグ２０は、運搬者の体感重量を効果的に軽減できるものであることがわかるが、本考案の技術的思想を具現化していれば種々の設計変更が可能であり、それらはすべて本考案に含まれる。
【００３２】
例えば、上記第１実施形態においては、愛玩動物運搬用バッグ１の平面形状を、湾曲状凹部を有する円形状とした場合について説明したが、適当な湾曲状凹部を有する形状であればどのような形状であってもよく、例えば、三角形状、正方形状若しくは長方形状の矩形状、半円形上等であってもよい。
【００３３】
また、上記第２実施形態においては、愛玩動物運搬用バッグ２０に用いるバッグ用底板２２の平面形状を、湾曲状凹部を有する長方形状とした場合について説明したが、適当な湾曲状凹部を有する形状であればどのような形状であってもよく、例えば、三角形状、正方形状、円形状、半円形上等であってもよい。ここで、バッグ用底板２２の平面形状と愛玩動物運搬用バッグ２０の底部形状とは、略同一としておくことが好ましい。
【符号の説明】
【００３４】
１、２０・・・ 愛玩動物運搬用バッグ、
２、２４・・・ バッグ本体、
４・・・ 蓋部、
６・・・帯体、
８・・・ファスナー、
１０・・・バッグ本体底部、
１２・・・バッグ本体側面部、
２２・・・バッグ用底板、
２６・・・締結バンド。
【図１】
0003189381.tif 000003
【図２】
0003189381.tif 000004
【図３】
0003189381.tif 000005
【図４】
0003189381.tif 000006
【図５】
0003189381.tif 000007
【図６】
0003189381.tif 000008
【図７】
0003189381.tif 000009
【図８】
0003189381.tif 000010
【図９】
0003189381.tif 000011
【図１０】
0003189381.tif 000012
【図１１】
0003189381.tif 000013
【手続補正書】
【提出日】平成25年12月20日(2013.12.20)
【手続補正１】
【補正対象書類名】実用新案登録請求の範囲
【補正対象項目名】請求項２
【補正方法】変更
【補正の内容】
【請求項２】
前記底部が前記底板と略相似形状であること、
を特徴とする請求項1記載の愛玩動物運搬用バッグ。